(57)【要約】【課題】異常や変化を容易に検出することを可能とする。【解決手段】履歴記録モードが設定され、撮影が指示操作されると、撮影ユニット３０により撮影が行われ、その撮影画像が過去画像としてサーバＳＶに転送されて、保存される。次回の巡回時に、過去画像の表示が指示操作されると、サーバＳＶから過去画像を取得して表示ユニット２０により表示させる。また、撮影が指示操作されると、撮影ユニット３０により撮影が行われ、この撮影により生成された現在画像と、サーバＳＶから取得された過去画像とが画像処理ユニット５２により照合され、不一致領域の検出が行われる。不一致領域が検出されると、過去の撮影時から変化した箇所がある旨の警告表示が行われる。【選択図】図２
2006140816.tif 000002
【特許請求の範囲】
【請求項１】
映像の光学像を投射する映像投射部と、当該映像投射部から投射された光学像を使用者の眼に導く接眼光学系とを備えて、映像の表示を行う映像表示装置において、
外界像を撮影し、その撮影画像を生成する撮影手段と、
前記生成された撮影画像を過去画像として記憶する画像記憶手段と、
前記過去画像の表示が指示されると、前記画像記憶手段に記憶された過去画像を読み出し、当該読み出した過去画像の光学像を前記映像投射部により投射させる制御手段と、
を備えることを特徴とする映像表示装置。
【請求項２】
前記過去画像を外部装置の画像記憶手段に記憶し、
前記制御手段は、前記外部装置から過去画像を取得して前記映像投射部によりその光学像を投射させることを特徴とする請求項１に記載の映像表示装置。
【請求項３】
前記映像投射部及び接眼光学系は、使用者が、当該映像投射部及び接眼光学系により表示される映像と同時に、外界像を観察することが可能に構成されていることを特徴とする請求項１又は２に記載の映像表示装置。
【請求項４】
前記撮影手段は、撮影が指示されると撮影を行って、その撮影画像を生成し、
前記撮影手段により生成された撮影画像を現在画像として、前記画像記憶手段に記憶された過去画像と照合し、不一致領域を検出する画像処理手段と、
前記画像処理手段により不一致領域が検出されると、過去の撮影時から変化した箇所が有る旨を警告する警告手段と、
を備えることを特徴とする請求項１〜３の何れか一項に記載の映像表示装置。
【請求項５】
前記警告された変化箇所の確認が終了した旨を示す確認操作を行うための操作手段と、
前記操作手段により確認操作が行われると、前記警告手段による警告を解除する警告解除手段と、
を備えることを特徴とする請求項４に記載の映像表示装置。
【請求項６】
前記撮影手段は、前記警告手段による警告後、撮影が指示されると、再度撮影を行って撮影画像を生成し、
前記画像処理手段は、前記再撮影された撮影画像と前記過去画像とを照合して、不一致領域を検出し、
前記画像処理手段により不一致領域が検出されなかった場合、前記警告手段による警告を解除する警告解除手段を備えることを特徴とする請求項４に記載の映像表示装置。
【請求項７】
前記警告解除手段により警告が解除されるまで、他の映像表示を禁止する禁止手段を備えることを特徴とする請求項５又は６に記載の映像表示装置。
【請求項８】
映像の光学像を投射する映像投射部と、当該映像投射部から投射された光学像を使用者の眼に導く接眼光学系とを備えて、映像の表示を行う映像表示装置において、
各チェックポイントに設置されたチェック装置を検出し、当該チェック装置と通信を行ってチェック装置に記憶されている各チェックポイントを識別するためのＩＤ情報を読み出す読出手段と、
各チェックポイントのＩＤ情報に対応するチェック画像を記憶する画像記憶手段と、
前記読出手段により前記チェック装置から読み出されたＩＤ情報に対応するチェック画像を前記画像記憶手段から読み出し、当該チェック画像においてＩＤ情報に対応する位置にマーカ情報を表示させる制御手段と、
を備えることを特徴とする映像表示装置。
【請求項９】
前記マーカ情報で示されるチェックポイントの確認が終了した旨を示す確認操作を行うための操作手段と、
前記操作手段により確認操作がなされるまでの間に、他の映像表示が指示されると、チェックポイントの確認が終了していない旨を警告する警告手段と、
を備えることを特徴とする請求項８に記載の映像表示装置。
【請求項１０】
前記確認操作がなされると、前記警告手段による警告を解除する警告解除手段と、
前記警告解除手段により警告が解除されるまで、他の映像表示を禁止する禁止手段と、
を備えることを特徴とする請求項９に記載の映像表示装置。
【請求項１１】
前記制御手段は、複数のチェック装置から読み出されたＩＤ情報に基づいて、前記操作手段により確認操作がされていないチェックポイント数又は確認操作が行われたチェックポイント数の少なくとも一方を表示させることを特徴とする請求項９又は１０に記載の映像表示装置。
【請求項１２】
前記警告手段は、所定のチェック時間内に全てのチェックポイントについて確認操作がなされなかった場合、その旨警告することを特徴とする請求項９〜１１の何れか一項に記載の映像表示装置。
【請求項１３】
前記制御手段は、前記読出手段によりチェック装置が検出された時からの経過時間又はチェック時間の残り時間の少なくとも一方を表示させることを特徴とする請求項９〜１２の何れか一項に記載の映像表示装置。
【請求項１４】
光学像を投射する映像投射部及び映像投射部から投射された光学像を使用者の眼に導く接眼光学系を備えた一又は複数の映像表示装置と、当該映像表示装置と通信可能なサーバとを備えた映像表示システムにおいて、
各チェックポイントに設置された撮影手段を備え、
前記サーバは、災害を検知する災害検知システムに接続し、当該災害検知システムにより何れかのチェックポイントで災害が検知されると、災害が検知されたチェックポイントに設置された撮影手段から撮影画像を取得し、緊急通報情報とともに当該撮影画像を前記映像表示装置に配信し、
前記映像表示装置は、前記サーバから受信された緊急通報情報に応じて、当該緊急通報情報とともに受信された撮影画像を前記映像投射部及び接眼光学系により表示することを特徴とする映像表示システム。
【請求項１５】
前記映像表示装置は、前記緊急通報情報とともに受信された撮影画像を優先的に表示することを特徴とする請求項１４に記載の映像表示システム。
【発明の詳細な説明】
【技術分野】
【０００１】
本発明は、使用者の眼前に装着されて映像を光学的に表示する映像表示装置及び当該映像表示装置とサーバとを備えた映像表示システムに関する。
【背景技術】
【０００２】
警備員の身体に装着し、携帯することができるウェラブルディスプレイ（以下、WDという）と呼ばれる小型の映像表示装置が開発されている。ＷＤは様々なタイプのものが開発されており、例えば頭部に装着するヘッドマウンテン型、眼鏡フレームと一体となった眼鏡型等が挙げられる。何れのタイプでも、ＷＤは携帯性に優れているため使用場所を選ばず、しかも身体に装着するため使用者は映像を見ながら作業をすることができる。
【０００３】
上記ＷＤは、その作業効率の良さから、生産、修理等の作業現場等の様々な場面での使用が考えられるが、警備システムに適用することも有効である。警備員がＷＤを装着し、警備対象のビル内の地図や巡回経路等の指示をＷＤに表示させることにより、指示をその場で受けながら警備を行うことが可能となる。従来は、携帯端末により画像表示を行ったり、コントロールセンターとの通信を行ったりしていたが（例えば、特許文献１参照）、ＷＤを用いた場合、画像を表示しながら手作業を行うことができる点で利便性が高い。
【特許文献１】特開２００２−３００５７０号公報
【発明の開示】
【発明が解決しようとする課題】
【０００４】
しかしながら、従来のＷＤは、警備の見回りの際の参考情報を表示させるだけにすぎず、実際に異常の発見に貢献したり、緊急事態が発生した際にその事態に対応できるような機能は有していなかった。
【０００５】
本発明の課題は、異常や変化を容易に検出することが可能な映像表示装置を提供することである。
【課題を解決するための手段】
【０００６】
請求項１に記載の発明は、
映像の光学像を投射する映像投射部と、当該映像投射部から投射された光学像を使用者の眼に導く接眼光学系とを備えて、映像の表示を行う映像表示装置において、
外界像を撮影し、その撮影画像を生成する撮影手段と、
前記生成された撮影画像を過去画像として記憶する画像記憶手段と、
前記過去画像の表示が指示されると、前記画像記憶手段に記憶された過去画像を読み出し、当該読み出した過去画像の光学像を前記映像投射部により投射させる制御手段と、
を備えることを特徴とする。
【０００７】
請求項２に記載の発明は、請求項１に記載の映像表示装置において、
前記過去画像を外部装置の画像記憶手段に記憶し、
前記制御手段は、前記外部装置から過去画像を取得して前記映像投射部によりその光学像を投射させることを特徴とする。
【０００８】
請求項３に記載の発明は、請求項１又は２に記載の映像表示装置において、
前記映像投射部及び接眼光学系は、使用者が、当該映像投射部及び接眼光学系により表示される映像と同時に、外界像を観察することが可能に構成されていることを特徴とする。
【０００９】
請求項４に記載の発明は、請求項１〜３の何れか一項に記載の映像表示装置において、
前記撮影手段は、撮影が指示されると撮影を行って、その撮影画像を生成し、
前記撮影手段により生成された撮影画像を現在画像として、前記画像記憶手段に記憶された過去画像と照合し、不一致領域を検出する画像処理手段と、
前記画像処理手段により不一致領域が検出されると、過去の撮影時から変化した箇所が有る旨を警告する警告手段と、
を備えることを特徴とする。
【００１０】
請求項５に記載の発明は、請求項４に記載の映像表示装置において、
前記警告された変化箇所の確認が終了した旨を示す確認操作を行うための操作手段と、
前記操作手段により確認操作が行われると、前記警告手段による警告を解除する警告解除手段と、
を備えることを特徴とする。
【００１１】
請求項６に記載の発明は、請求項４に記載の映像表示装置において、
前記撮影手段は、前記警告手段による警告後、撮影が指示されると、再度撮影を行って撮影画像を生成し、
前記画像処理手段は、前記再撮影された撮影画像と前記過去画像とを照合して、不一致領域を検出し、
前記画像処理手段により不一致領域が検出されなかった場合、前記警告手段による警告を解除する警告解除手段を備えることを特徴とする。
【００１２】
請求項７に記載の発明は、請求項５又は６に記載の映像表示装置において、
前記警告解除手段により警告が解除されるまで、他の映像表示を禁止する禁止手段を備えることを特徴とする。
【００１３】
請求項８に記載の発明は、
映像の光学像を投射する映像投射部と、当該映像投射部から投射された光学像を使用者の眼に導く接眼光学系とを備えて、映像の表示を行う映像表示装置において、
各チェックポイントに設置されたチェック装置を検出し、当該チェック装置と通信を行ってチェック装置に記憶されている各チェックポイントを識別するためのＩＤ情報を読み出す読出手段と、
各チェックポイントのＩＤ情報に対応するチェック画像を記憶する画像記憶手段と、
前記読出手段により前記チェック装置から読み出されたＩＤ情報に対応するチェック画像を前記画像記憶手段から読み出し、当該チェック画像においてＩＤ情報に対応する位置にマーカ情報を表示させる制御手段と、
を備えることを特徴とする。
【００１４】
請求項９に記載の発明は、請求項８に記載の映像表示装置において、
前記マーカ情報で示されるチェックポイントの確認が終了した旨を示す確認操作を行うための操作手段と、
前記操作手段により確認操作がなされるまでの間に、他の映像表示が指示されると、チェックポイントの確認が終了していない旨を警告する警告手段と、
を備えることを特徴とする。
【００１５】
請求項１０に記載の発明は、請求項９に記載の映像表示装置において、
前記確認操作がなされると、前記警告手段による警告を解除する警告解除手段と、
前記警告解除手段により警告が解除されるまで、他の映像表示を禁止する禁止手段と、
を備えることを特徴とする。
【００１６】
請求項１１に記載の発明は、請求項９又は１０に記載の映像表示装置において、
前記制御手段は、複数のチェック装置から読み出されたＩＤ情報に基づいて、前記操作手段により確認操作がされていないチェックポイント数又は確認操作が行われたチェックポイント数の少なくとも一方を表示させることを特徴とする。
【００１７】
請求項１２に記載の発明は、請求項９〜１１の何れか一項に記載の映像表示装置において、
前記警告手段は、所定のチェック時間内に全てのチェックポイントについて確認操作がなされなかった場合、その旨警告することを特徴とする。
【００１８】
請求項１３に記載の発明は、請求項９〜１２の何れか一項に記載の映像表示装置において、
前記制御手段は、前記読出手段によりチェック装置が検出された時からの経過時間又はチェック時間の残り時間の少なくとも一方を表示させることを特徴とする。
【００１９】
請求項１４に記載の発明は、映像表示システムにおいて、
光学像を投射する映像投射部及び映像投射部から投射された光学像を使用者の眼に導く接眼光学系を備えた一又は複数の映像表示装置と、当該映像表示装置と通信可能なサーバとを備えた映像表示システムにおいて、
各チェックポイントに設置された撮影手段を備え、
前記サーバは、災害を検知する災害検知システムに接続し、当該災害検知システムにより何れかのチェックポイントで災害が検知されると、災害が検知されたチェックポイントに設置された撮影手段から撮影画像を取得し、緊急通報情報とともに当該撮影画像を前記映像表示装置に配信し、
前記映像表示装置は、前記サーバから受信された緊急通報情報に応じて、当該緊急通報情報とともに受信された撮影画像を前記映像投射部及び接眼光学系により表示することを特徴とする。
【００２０】
請求項１５に記載の発明は、請求項１４に記載の映像表示システムにおいて、
前記映像表示装置は、前記緊急通報情報とともに受信された撮影画像を優先的に表示することを特徴とする。
【発明の効果】
【００２１】
請求項１に記載の発明によれば、過去と現在の状況を比較したいとき等、必要なときに過去の撮影画像を読み出して表示させることができる。よって、過去の撮影画像と現在の状況とを比較することにより、過去の撮影時から生じた変化や異変を容易に検出することができる。
【００２２】
請求項２に記載の発明によれば、外部装置に過去画像を記憶させるので、この外部装置に記憶された過去画像を複数の映像表示装置間で共有することができる。また、映像表示装置自体に記憶させておく必要が無いので、メモリ資源の有効活用を図ることができる。
【００２３】
請求項３に記載の発明によれば、使用者は、映像表示装置により表示される映像とともに外界像を観察することができるので、過去画像に外界像を重ね合わせて観察することができ、過去の撮影時との差異を容易に検出することが可能となる。
【００２４】
請求項４に記載の発明によれば、現在画像と過去画像との不一致領域があれば警告を行う。よって、過去の撮影時と同じ地点で撮影を行うことにより、自動的に変化があった箇所が検出されるので、変化があった箇所の見落とし等の人為的ミスを防ぐことができる。また、警告により、使用者は変化箇所を容易に把握することができ、異変の早期発見を図ることができる。
【００２５】
請求項５に記載の発明によれば、確認操作が行われると警告を解除するので、使用者に対し、変化があった箇所の確認を促すことができる。
【００２６】
請求項６に記載の発明によれば、警告後の再撮影により、不一致領域が無ければ警告を解除するので、使用者に対し、変化箇所を確認し、過去の撮影時の状況と同じ状況に戻すよう促すことができる。
【００２７】
請求項７に記載の発明によれば、警告が解除されるまで他の映像表示を禁止するので、変化箇所の確認を行うよう強制することができる。
【００２８】
請求項８に記載の発明によれば、チェック画像のマーカ情報により、使用者は容易に、かつ漏れなくチェックすべきポイントを確認することができる。
【００２９】
請求項９に記載の発明によれば、確認操作させることにより、使用者にチェックポイントの確認を促すことができる。また、確認操作がなされないうちに他の映像表示が指示されると、警告を行うので、使用者にチェックポイントの確認を注意喚起することができる。
【００３０】
請求項１０に記載の発明によれば、確認操作がなされるまでは警告が解除されず、他の映像表示が禁止されるので、使用者にチェックポイントの確認を強制することができる。
【００３１】
請求項１１に記載の発明によれば、使用者は、未確認又は確認済みのチェックポイント数を容易に把握することができ、未確認のチェックポイントの確認をすみやかに行うことができる。
【００３２】
請求項１２に記載の発明によれば、チェック時間内にチェックポイントの確認を終えるよう、使用者を促すことができる。
【００３３】
請求項１３に記載の発明によれば、使用者は、チェックポイントが検出されてからの経過時間又はチェック時間の残り時間を容易に把握することができ、チェック時間を意識しながらチェックポイントについての確認を行うことができる。
【００３４】
請求項１４に記載の発明によれば、災害が検知された際には、映像表示装置の使用者は、災害が検知されたチェックポイントにおける撮影画像を観察することができ、その状況を容易に把握することができるとともに、異変を早期に検出することができる。
【００３５】
請求項１５に記載の発明によれば、他の映像を表示中でも撮影画像を優先的に表示するので、異変を早期に検出することができる。
【発明を実施するための最良の形態】
【００３６】
〈第１実施形態〉
第１実施形態では、過去の警備巡回時の撮影画像を記憶して、次回の巡回時に当該過去の撮影画像を読み出し可能な構成とし、過去の巡回時の状態と現在の巡回における状態とを比較して変化がある場合には、過去の撮影時から変化した箇所が有る旨を警告する例を説明する。
【００３７】
まず、構成を説明する。
図１に、第１実施形態における映像表示システム１のシステム構成を示す。
図１に示すように、映像表示システム１は、サーバＳＶと、映像表示装置Ａ〜Ｃとが通信ネットワークＮを介して通信可能に構成されている。
【００３８】
以下、各構成装置について説明する。
サーバＳＶは、警備状況を一元的に管理するコントロールセンターに設置される管理用サーバである。サーバＳＶは、大型の表示装置を備え、映像表示装置Ａ〜Ｃと通信を行って各映像表示装置Ａ〜Ｃから受信された撮影画像を当該表示装置に表示させる。また、画像記憶手段として大容量のＨＤＤ（Hard Disk Drive）を備え、このＨＤＤに各映像表示装置Ａ〜Ｃから受信された撮影画像を記憶させる。一方で、警備員に対し、警備の指示を行う際には、映像表示装置Ａ〜Ｃに対して警備用画像を送信する。ここで、警備用画像とは、警備員への指示情報や参考情報を含む画像をいい、例えば警備対象の建物内の見取り図や、警備の順路を指示する地図等が挙げられる。
【００３９】
管理者は、このサーバＳＶにより表示された各映像表示装置Ａ〜Ｃの撮影画像を観察することにより、各警備員の警備状況を把握することができる。また、警備の指示を行う際には、警備用画像をサーバＳＶを介して各映像表示装置Ａ〜Ｃに送信させることができる。
【００４０】
次に、映像表示装置Ａ〜Ｃについて説明するが、各映像表示装置Ａ〜Ｃの構成は同一であるので、映像表示装置Ａを代表としてその構成について説明する。
図２に、映像表示装置Ａを示す。
図２に示すように、映像表示装置Ａは、表示ユニット２０が設けられた眼鏡フレームと、コントロールボックス５０とを備えて構成されている。
【００４１】
眼鏡フレームは、左右対称に設けられたレンズ１１Ｒ、１１Ｌ、鼻あて１２Ｒ、１２Ｌ、使用者頭部への保持部材であるテンプル１３Ｒ、１３Ｌ、ブリッジ１５を備えて構成されている。
表示ユニット２０は、映像投射部２０ａ、接眼光学系２０ｂを備えて構成されている。映像投射部２０ａはレンズ１１Ｒに設けられ、当該レンズ１１Ｒにはプリズム２４、ホログラフィック光学素子（以下、ＨＯＥ；Holographic Optical Elementという）２５が一体に形成されて、映像投射部２０ａから発せられた映像の光学像（以下、映像光という）を使用者の眼前に導く接眼光学系２０ｂを構成している。
【００４２】
図３に、映像投射部２０ａ、接眼光学系２０ｂの内部構成を示し、映像の表示方法について説明する。なお、映像には、静止画像、動画像の何れも含まれるものとする。
図３に示すように、映像投射部２０ａは、ＬＥＤ（Light Emitting Diode）２１、コンデンサレンズ２２、ＬＣＤ（Liquid Crystal Display）２３を備えて構成され、接眼光学系２０ｂは、プリズム２４、ＨＯＥ２５を備えて構成されている。
【００４３】
ＬＥＤ２１は、ＬＣＤ２３を照明するための発光源であり、コンデンサレンズ２２はＬＥＤ２１が発した光をＬＣＤ２３の全面に均一に導くための照明光学系である。ＬＣＤ２３は、映像を表示する透過型の表示装置であり、ＬＥＤ２１からの照明光を受けてプリズム２４側に映像光を発する。
【００４４】
上記映像投射部２０ａは筐体により覆われ、この筐体によりプリズム２４が挟まれている。プリズム２４は、透明なガラス又は樹脂等からなり、平板状に形成されたものである。プリズム２４は、右眼用のレンズ１１Ｒの一部に埋め込まれており、その下端部にはＨＯＥ２５が形成されている。ＨＯＥ２５は、プリズム２４とレンズ１１Ｒをホログラム基板として、その間に挟まれるように配置されている。ＨＯＥ２５は、ホログラム基板面に対して平行でない干渉縞からなる２つの干渉縞パターンを有しており、この干渉縞パターンの回折作用によって、ＨＯＥ２５に入射した光は回折反射して使用者の眼Ｅに導かれる。
【００４５】
すなわち、ＬＣＤ２３から発せられた映像光は、プリズム２４により反射を複数回繰り返しながらＨＯＥ２５に導かれると、ＨＯＥ２５により回折して平行光に近い光束となって使用者の眼Ｅに入射する。このように、スクリーン等に映像が投影されたものを観察するわけではなく、使用者の眼に直接映像光が入射するので、警備員は外界像も同時に観察することが可能となる。
【００４６】
図１を参照して、他の構成部について説明する。
テンプル１３Ｒには、撮影ユニット３０が取り付けられており、この撮影ユニット３０はケーブルを介して表示ユニット２０及びコントロールボックス５０に接続されている。
【００４７】
撮影ユニット３０は、光学レンズ、ＣＣＤ（Charge Coupled Device）等の光電変換素子、Ａ／Ｄ変換部等から構成される撮影手段であり、光学レンズを介して入力される被写体像をＣＣＤにより光電変換して画像信号を生成する。そして、Ａ／Ｄ変換部によりアナログ画像信号からデジタル画像データを得て、当該デジタル画像データをコントロールボックス５０内の制御ユニット（制御ユニットについては後述する）に出力する。これを連続的に行うことにより、動画像、つまり撮影映像のデータを出力することができる。
【００４８】
コントロールボックス５０は、イヤホン４１、マイク４２の音入出力ユニット４０を備えている。また、そのボックス本体には電源をＯＮ／ＯＦＦする電源ボタン５３ａ、巡回時にチェックすべき項目を確認した際に、確認が終了した旨を示す確認操作を行うための操作手段である確認ボタン５３ｂ、各種機能メニューを選択するための選択ボタン５３ｃが設けられている。
【００４９】
次に、図４を参照して映像表示装置Ａの機能的構成について説明する。
図４に示すように、映像表示装置Ａは、表示ユニット２０、撮影ユニット３０、音入出力ユニット４０及びコントロールボックス５０を備えて構成されており、コントロールボックス５０内には、制御ユニット５１、画像処理ユニット５２、入力ユニット５３、通信ユニット５４、メモリ５５の各部が内蔵されている。
【００５０】
以下、各部について説明するが、表示ユニット２０及び撮影ユニット３０については上述したので、ここでは説明を省略する。
【００５１】
音入出力ユニット４０は、イヤホン４１、マイク４２を備え、イヤホン４１における音出力及びマイク４２における音入力の処理を行う。音入出力ユニット４０は、制御ユニット５１から入力された音データを音信号に変換してイヤホン４１により音出力させるとともに、マイク４２により入力された音信号を音データに変換して制御ユニット５１に出力する。
【００５２】
制御ユニット５１は、ＣＰＵ（Central Processing Unit）やＲＡＭ（Random Access Memory）等を備えて構成される制御手段であり、メモリ５６に記憶されている各種制御プログラムに従って映像表示装置Ａの各部を集中制御する。
【００５３】
例えば、映像表示装置Ａの動作モードとして、履歴記録モード、履歴参照モードを有しており、制御ユニット５１は、各モードに対応するプログラムを読み出して撮影ユニット３０の撮影動作、表示ユニット２０の表示動作、画像処理ユニット５２の画像処理動作、通信ユニット５４による通信動作等を制御する。
【００５４】
画像処理ユニット５２は、入力された画像データに対して、濃度変換処理、色変換処理、縮小／拡大処理等の各種画像処理を施す。
また、画像処理ユニット５２は、入力された過去画像と現在画像を照合し、不一致領域の検出を行う。
【００５５】
入力ユニット５３は、図２に示した電源ボタン５３ａ、確認ボタン５３ｂ、選択ボタン５３ｃ等の各種指示ボタンを備えて構成され、操作されたボタンに対応する操作信号を生成して制御ユニット５１に出力する。
【００５６】
通信ユニット５４は、携帯電話回線等を利用して通信ネットワークＮに接続し、この通信ネットワークＮを介してサーバＳＶ等の外部装置と通信を行う。なお、他の映像表示装置Ｂ、Ｃ間で通信を可能とする構成としてもよい。
【００５７】
メモリ５５は、各種制御プログラム及びプログラムの実行に必要なパラメータや処理結果等のデータを記憶している。また、メモリ５５は、操作画面等の画像を記憶している。なお、メモリ５５に予め警備用画像を記憶しておく構成としてもよい。
【００５８】
次に、第１実施形態における映像表示装置Ａ〜Ｃの動作について説明する。
警備を開始する際には、各警備員は映像表示装置Ａ〜Ｃを装着し、電源のＯＮ操作を行う。そして、映像表示装置Ａ〜Ｃが正常に起動すると、巡回経路の指示を含む警備用画像を表示させて巡回に出向く。そして、警備用画像により指示された巡回経路で各巡回地点を見回る。その際、履歴記録モードを設定し、各巡回地点において撮影を行う。
【００５９】
以下、履歴記録モードが設定された際の映像表示装置Ａ〜Ｃの動作について、図５を参照して説明する。なお、映像表示装置Ａ〜Ｃは同じ動作であるので、以下、映像表示装置Ａを代表としてその動作を説明する。また、説明の前提として、映像表示装置Ａは起動後、警備用画像の表示操作に応じてサーバＳＶに警備用画像の要求情報を送信し、当該警備用画像をダウンロードして表示ユニット２０により表示させているものとする。
【００６０】
図５に示すように、映像表示装置Ａでは、撮影が指示操作されると（ステップＡ１；Ｙ）、撮影ユニット３０により撮影が行われ、その撮影画像が生成される（ステップＡ２）。次いで、履歴記録モードが設定されてからの撮影の順番、撮影時間等の撮影画像を特定するための情報が自動生成されて撮影画像のヘッダ領域に書き込まれ、撮影画像に関する情報として撮影画像に付加される。このとき、後に、警備員が撮影画像を区別しやすいように、撮影画像のタイトル（例えば、“オフィスＡ”、“非常階段”等の巡回地点を示す名称等）を警備員が設定可能な構成としてもよい。
【００６１】
次いで、撮影画像に関する情報が付加された撮影画像は、通信ユニット５４を介してサーバＳＶに送信される（ステップＡ３）。サーバＳＶでは、映像表示装置Ａから受信された撮影画像が過去画像としてその撮影画像に関する情報とともにデータベース化され、ＨＤＤに記憶される。
【００６２】
以上のように、映像表示装置Ａでは、巡回地点で撮影が指示される毎に撮影画像がサーバＳＶに送信され、サーバＳＶでは受信された順に、つまり巡回された地点順にその撮影画像が過去画像としてＨＤＤに記憶されていく。最終的に巡回を終え、その旨が映像表示装置Ａに操作入力されると、終了通知情報が映像表示装置ＡからサーバＳＶに送信される。サーバＳＶでは、終了通知情報に応じて、巡回地点順に記憶された各過去画像が１巡回分の履歴として保存される。
【００６３】
次回、保存された履歴の巡回経路と同じ経路で警備を行う際には、履歴として保存された各過去画像を利用して警備を行うことができる。
まず、警備員は映像表示装置Ａ〜Ｃの動作モードを履歴参照モードに設定し、巡回を開始する。そして、各巡回地点において撮影を行う。
【００６４】
以下、図６を参照して、履歴参照モードが設定された際における映像表示装置Ａ〜Ｃの動作について説明する。なお、ここでも映像表示装置Ａを代表として説明を行うが、映像表示装置Ｂ、Ｃにおいても同様の処理が行われることは勿論である。
【００６５】
図６に示すように、映像表示装置Ａでは、撮影の指示操作がなされると（ステップＢ１；Ｙ）、撮影ユニット３０において撮影が行われ、現在画像が生成される（ステップＢ２）。このとき、履歴参照モードが設定されてからの撮影順に対応する過去画像を要求情報がサーバＳＶに送信され、サーバＳＶから当該過去画像が取得される（ステップＢ３）。
なお、現在の巡回順と過去の巡回順がずれた場合には、選択ボタン５３ｃの操作により、前後の画像を選択できるものとする。或いは、所望する過去画像の検索が可能な構成としてもよい。
【００６６】
次いで、表示ユニット２０により取得された過去画像の表示が行われる（ステップＢ４）。このとき、警備員の眼には、表示ユニット２０により表示された過去画像と、外界像が観察されているはずであり、例えば過去画像が、図７（ａ）に示すように、戸締まりされた正常な状態のドアの画像であり、外界像が、図７（ｂ）に示すように、戸締まりされておらず、開いており異常な状態のドアの画像であった場合、ドアの画像が重なる位置に警備員が立つことにより、図７（ｃ）に示すように、過去のドアの状態（図７中の破線で示す表示画像）と現在のドアの状態（図中の実線で示す外界像）を警備員が比較することができ、過去の巡回時からドアに変化が生じたことを容易に把握することが可能となる。
【００６７】
一方、映像表示装置Ａでは、生成された現在画像とサーバＳＶから取得された過去画像とが照合され、一致するか否かが判別される（ステップＢ５）。そして、現在画像と過去画像が一致しないと判別された場合（ステップＢ５；不一致）、過去画像から変化した箇所が有る旨の警告動作が行われる（ステップＢ６）。
【００６８】
例えば、過去画像が、図７（ａ）に示す正常な状態のドアの画像であり、現在画像が、図７（ｂ）に示す異常な状態のドアの画像であった場合、図８（ａ）に示すように各画像を照合すると、不一致の領域（破線で示す部分）が検出されるため、一致しないと判別される。なお、一致は完全に一致する必要はなく、例えば８０％の同一性があれば一致すると判別することとしてもよい。このとき、図８（ａ）に示すように、画面上に変化した箇所をチェックするよう促す警告メッセージｍ１が表示される。なお、警告動作は、不一致の領域を点滅表示させたり、色を変えたり、マーカを表示させて不一致領域を変化した箇所として指摘することとしてもよい。また、警告表示にとどまらず、警告音をイヤホン４１に出力することとしてもよいし、バイブレーション機能を備えて、振動させたり、ＬＥＤ等を備えて発光させることとしてもよい。
【００６９】
警告動作が行われると、警備員は変化が生じた部分、つまり異常箇所のチェックを行い、チェックが終了すると、確認ボタン５３ｂを押下する。
【００７０】
映像表示装置Ａでは、確認ボタン５３ｂの押下操作が待機され、確認ボタン５３ｂ以外の操作、例えば警備用画像の表示指示操作や、他のメニュー操作がなされると（ステップＢ７；Ｎ）、図８（ｂ）に示すような表示画面が表示ユニット２０により表示され、チェックを行うよう警告する警告メッセージｍ２が表示され、制御ユニット５１により次画面の表示が禁止される（ステップＢ８）。
【００７１】
一方、次の画面表示を確認ボタン５３ｂが押下され、警告確認操作がなされると（ステップＢ７；Ｙ）、制御ユニット５１により警告動作が解除されるとともに、次の画面表示が許可され、元々表示されていた警備用画像等が表示ユニット２０により表示される（ステップＢ９）。
以上のような処理が各巡回地点で撮影が指示操作される毎に実行され、警備員は各巡回地点で異常部分をチェックしながら巡回することができる。
【００７２】
以上のように、第１実施形態によれば、過去の巡回時の過去画像を履歴としてサーバＳＶに保存しておき、次回の巡回時にはサーバＳＶからその過去画像を読み出して表示する。映像表示装置Ａは、表示ユニット２０による表示映像と外界像との同時観察が可能な構成であるので、警備員は過去画像と外界像とを重ね合わせて比較することができ、過去の撮影時からの変化した箇所を容易に発見することが可能となる。
【００７３】
また、次回の巡回時にも撮影を行い、その現在画像と過去画像とを照合することにより不一致領域を検出し、過去の撮影時から変化した箇所として警告動作を行うので、警備員は警告により変化が生じた箇所があることを容易に把握することができ、異常の早期発見につなげることができる。
【００７４】
さらに、変化箇所のチェックが行われたことを確認ボタン５３ｂにより確認操作させることにより、警備員に対しチェックを行う意識を持たせることができる。また、確認操作がなされるまでは、次画面の表示を禁止するので、警備員に対し確実にチェックを行うよう促すことができる。
【００７５】
また、過去画像をサーバＳＶに記憶させる構成としたので、一の映像表示装置Ａにおいて撮影された過去画像をサーバＳＶからダウンロードすることにより、他の映像表示装置Ｂ、Ｃにおいても当該過去画像を利用することができ、共有化を図ることができる。また、映像表示装置Ａ〜Ｃのメモリ資源の有効活用を図ることができる。
なお、映像表示装置Ａ〜Ｃのメモリ５５に過去画像を記憶させる構成としてもよい。この場合、メモリ資源は制限されるが、サーバＳＶに逐一アクセスする必要がなくなるので、過去画像の表示処理が効率的となる。
【００７６】
なお、確認操作用に確認ボタン５３ｂを設けた例を説明したが、これに限らず、「確認終了」等の音声をマイク４２により入力し、当該入力された音声を解析することにより、確認操作が可能な構成としてもよい。
【００７７】
また、確認ボタン５３ｂによる確認操作ではなく、確認終了後、再度撮影ユニット３０により撮影を行わせ、再度、画像処理ユニット５２により当該撮影により得られた現在画像と、サーバＳＶから取得されている撮影画像とを照合し、不一致領域の検出を行わせ
不一致領域が無ければ確認が終了したこととして、これを確認操作に代えることとしてもよい。
【００７８】
例えば、過去画像が図７（ａ）に示すように閉じたドアであり、現在画像が図７（ｂ）に示すように開いたドアである場合、過去の撮影時から変化した箇所としてドアが開いている箇所について警告がなされるので、この警告に応じて警備員はドアを閉じる。そして、映像表示装置Ａに対して確認を終えた旨の確認操作を行う意味で撮影を指示操作すると、映像表示装置Ａでは、再撮影が行われ、ドアが閉じた図７（ａ）に示す現在画像が得られるので、過去画像と不一致領域が検出されず、変化箇所の確認が行われたとして警告が解除される。このような確認操作を行わせる場合、警備員に対し、変化箇所について元の状態に戻すように強制することができる。
【００７９】
〈第２実施形態〉
第２実施形態では、第１実施形態における映像表示システム１において、各巡回地点においてチェックすべきポイントにそのチェックポイントの識別するためのＩＤ情報を記憶しているチェック装置を設置するとともに、映像表示装置Ａ〜Ｃにチェック装置からＩＤ情報を読み出すリーダを備え、巡回時に各地点に設置されたチェック装置によりチェックポイントを検出することにより、チェックポイントの確認漏れを防止する例を説明する。
【００８０】
なお、本実施形態では、ＲＦＩＤ（Radio Frequency Identification）システムを適用し、チェック装置としてＩＣタグを適用した例を説明するが、チェック装置としては、例えば赤外線やBluetooth等を用いた他の通信方式により、映像表示装置Ａ〜Ｃとデータの送受信を行う通信部と、チェックＩＤを記憶するメモリと、メモリ内のデータの入出力を制御する制御部とを備えたものであれば適用することが可能である。
【００８１】
第２実施形態における映像表示システムは、第１実施形態における映像表示システム１と同一構成であるので、同一の符号を付してその説明を省略する。また第２実施形態におおける映像表示装置は、第１実施形態における映像表示装置Ａ〜ＣにＩＣタグのリーダを付加した構成であるので、同一構成部分には同一の符号を付す。
【００８２】
第２実施形態では、図９に示すように、警備員が巡回する各巡回地点において、確認すべきチェックポイントにＩＣタグｚが設置されている。また、図１０に示すように、映像表示装置Ａ〜Ｃには、ＩＣタグｚからＩＤを読み出す読出手段であるリーダ５６が設けられている。
【００８３】
各チェックポイントに設置されたＩＣタグｚは、ＣＰＵ、メモリ等から構成され、メモリには各チェックポイントを識別するためのＩＤ情報（以下、チェックＩＤという）が記憶されている。ＣＰＵは、映像表示装置Ａ〜Ｃのリーダ５６からの読み出し要求に応じて、このメモリ内に記憶されたチェックＩＤの出力を制御する。
【００８４】
また、映像表示装置Ａ〜Ｃのメモリ５５には、各チェックＩＤに対応するチェック画像が記憶されている。チェック画像とは、チェックＩＤに対応するチェックポイントを示唆する画像をいい、例えば巡回地点となる部屋の撮影画像においてその部屋内でのチェックポイントを指し示すマーカが表示される画像等をいう。
【００８５】
次に、第２実施形態における映像表示装置Ａ〜Ｃの動作について説明する。
警備を開始する際には、各警備員は映像表示装置Ａ〜Ｃを装着し、電源のＯＮ操作を行う。そして、映像表示装置Ａ〜Ｃが正常に起動すると、巡回経路の指示を含む警備用画像を表示させて巡回に出向く。そして、チェックモードを設定し、警備用画像により指示された巡回経路で各巡回地点を見回る。
【００８６】
以下、チェックモードが設定された際の映像表示装置Ａ〜Ｃの動作について、図１１を参照して説明する。なお、映像表示装置Ａ〜Ｃは同じ動作であるので、ここでは映像表示装置Ａを代表としてその動作を説明する。また、説明の前提として、映像表示装置Ａは起動後、警備用画像の表示操作に応じてサーバＳＶに警備用画像の要求情報を送信し、当該警備用画像をダウンロードして、表示ユニット２０により表示させているものとする。
【００８７】
図１１に示すように、映像表示装置Ａでは、リーダ５６により巡回地点に設置されたＩＣタグｚの検出が行われ（ステップＤ１）、ＩＣタグｚが検出されると（ステップＤ１；Ｙ）、リーダ５６によりＩＣタグｚからチェックＩＤが読み出され、当該チェックＩＤに対応するチェック画像が制御ユニット５１によりメモリ５５から読み出されて表示ユニット２０により表示される（ステップＤ２）。
【００８８】
図１２（ａ）に、チェック画像の表示例を示す。
図１２（ａ）に示すように、チェック画像には、予めＩＣタグｚが設置されている巡回地点を撮影した撮影画像上に、ＩＣタグｚが設置されているチェックポイントを示すマーカｍ３（丸の図形）が表示されている。また、マーカｍ３とともに、チェックを促すメッセージｍ４が表示されている。
【００８９】
警備員は、このチェック画像により、チェックポイントについてチェックを行い、チェックが終了すると、確認ボタン５３ｂを押下する。
【００９０】
映像表示装置Ａでは、確認ボタン５３ｂの押下操作が待機され、確認ボタン５３ｂ以外の操作、例えば警備用画像の表示指示操作や、他のメニュー操作がなされると（ステップＤ３；Ｎ）、図１２（ｂ）に示すような表示画面が表示ユニット２０により表示され、制御ユニット５１の制御により、未チェックのチェックポイントがある旨を警告する警告メッセージｍ５が表示され、次画面の表示が禁止される（ステップＤ４）。
【００９１】
一方、次の画面表示を確認ボタン５３ｂが押下され、警告確認操作がなされると（ステップＤ３；Ｙ）、制御ユニット５１により警告動作が解除されるとともに、次の画面表示が許可され、元々表示されていた警備用画像等が表示ユニット２０により表示される（ステップＤ５）。
以上のような処理が各巡回地点で実行され、警備員は各巡回地点でチェックポイントを確実にチェックしながら巡回することができる。
【００９２】
以上のように、第２実施形態では、予めチェックポイントにはＩＣタグｚを設けるとともに、映像表示装置Ａ〜Ｃにリーダ５６を備え、リーダ５６によりＩＣタグｚを検出すると、そのチェックＩＤに対応するチェック画像を表示させる。警備員は、このチェック画像により、チェックポイントを容易に、かつ漏れなく確認することができる。
【００９３】
また、チェックが行われたことを確認ボタン５３ｂにより確認操作させることにより、警備員に対しチェックを行う意識を持たせることができる。また、確認操作がなされるまでは、次画面の表示を禁止するので、警備員に対し確実にチェックを行うよう促すことができる。
【００９４】
なお、上記第２実施形態では、メモリ５５に予めマーカ情報が付されたチェック画像を記憶させておく構成だったが、チェック画像をサーバＳＶに記憶させておき、巡回時に検出されたチェックＩＤに対応するチェック画像をサーバＳＶからダウンロードする構成としてもよい。この場合、チェック画像を複数台の映像表示装置Ａ〜Ｃで共有することができるとともに、個々の映像表示装置Ａ〜Ｃでチェック画像を記憶しておく必要がないので、メモリ資源を有効活用することができる。
【００９５】
また、確認操作用に確認ボタン５３ｂを設けた例を説明したが、これに限らず、「確認終了」等の音声をマイク４２により入力し、当該入力された音声を解析することにより、確認操作が可能な構成としてもよい。
【００９６】
また、チェックを行うチェック時間を予め設定しておき、そのチェック時間内に確認操作がなされなかった場合は、警告を行う構成としてもよい。この場合の映像表示装置Ａ〜Ｃにおける処理動作は、図１３のフローチャートに示す流れとなる。
【００９７】
まず、選択ボタン５３ｃを操作して、あるチェック地点におけるチェックポイント数及びチェック時間を選択入力すると、映像表示装置Ａ〜Ｃでは、図１３に示すように、入力されたチェックポイント数ＣＰ及びチェック時間ＴＳが設定される（ステップＤ１１）。なお、チェックポイント数ＣＰ及びチェック時間ＴＳは、セキュリティ確保のため、管理者のみが設定できる構成とすることが好ましい。
【００９８】
次いで、各チェック地点における巡回を開始する。映像表示装置Ａ〜Ｃでは、各チェック地点に設けられているＩＣタグｚの検出が行われる（ステップＤ１２）。そして、リーダ５６により検出されたＩＣタグｚからチェックＩＤが読み出されて当該チェックＩＤに応じたチェック画像の表示が行われるとともに、チェックＩＤ検出からの経過時間ＥＳが設定され、その計時が開始される（ステップＤ１３）。
【００９９】
チェック画像の表示例を図１４（ａ）に示す。図１４（ａ）に示す例では、図１２（ａ）に示した表示例と同様にマーカｍ３及びチェックを促すメッセージｍ４が表示されている。さらに、現在のチェックポイントを示す番号（ＮＯ）ｍ３１として検出されたチェックＩＤ（“０６”、“０７”）が表示され、その下部にまだ未チェックであるチェックポイントのチェックＩＤ（“０９”、“１０”）が残りのチェックポイントＮＯｍ３１として表示されている。また、チェック画像の下部には、残りのチェック時間ｍ３２が表示されている。
【０１００】
警備員は、上記チェック画像を見てマーカにより示されたチェックポイントを確認し、確認ボタン５３ｂにより確認操作を行う。
映像表示装置Ａ〜Ｃでは、確認ボタン５３ｂが押下され、チェック確認操作がなされるまでの間に、他の操作がなされると（ステップＤ１４；Ｎ）、チェックポイントについて未チェックである旨を警告する警告画像が表示され、次画面への表示が禁止される（ステップＤ１５）。図１４（ｂ）に警告画像例を示す。警告画像では、チェックが未終了の旨を警告する警告メッセージｍ５１が表示される。警告メッセージｍ５１では、未確認のチェックポイント数及びそのチェックポイントにおけるチェック内容が表示される。警告画像が表示された後は、ステップＤ１４の処理に戻り、チェック確認操作が待機される。そして、チェック確認操作がなされると（ステップＤ１４；Ｙ）、警告が解除され、次の画面表示が許可される。また、チェックポイント数ＣＰが−１だけデクリメントされる（ステップＤ１６）。
【０１０１】
次いで、経過時間ＥＸが設定されたチェック時間ＴＳを超過したか否かが判別され（ステップＤ１７）、チェック時間ＴＳを超過すると（ステップＤ１７；Ｙ）、チェック時間ＴＳを超過した旨の警告が行われる（ステップＤ１８）。警告は、警告メッセージを表示することとしてもよいし、警告音を出力することとしてもよい。次いで、チェックポイント数ＣＰがＣＰ＝０に達したか否か、つまり全てのチェックポイントについて確認操作がなされたか否かが判別され（ステップＤ１９）、チェックポイント数ＣＰ＝０ではない場合（ステップＤ１９；Ｎ）、図１４（ｂ）に示すような警告画像が表示され、全てのチェックポイントについて確認されてない旨が警告される。このとき、未確認操作のチェックポイント数ＣＰが表示される（ステップＤ２０）。一方、チェックポイント数ＣＰ＝０である場合（ステップＤ１９；Ｙ）、本処理を終了する。
【０１０２】
このような処理を行うことにより、警備員に対し、制限時間内にチェックを行うことを促すことができる。また、残りのチェックポイント数やそのチェック内容を確認することができ、次にチェックすべきポイントを容易に把握することができる。
【０１０３】
また、以上の実施例は、一つのチェック地点におけるチェック漏れをなくし、時間管理による業務の効率化を促すものであったが、複数のチェック地点を巡回する業務形態や、１日のうちに何回も巡回する業務形態にもこの処理動作を応用、利用することができ、業務全体の効率化を図ることができる。
【０１０４】
〈第３実施形態〉
第３実施形態では、サーバＳＶが災害検知システムと連動し、災害検知システムにより災害が検知されると、緊急事態が発生した旨を示す緊急通報情報を各映像表示装置Ａ〜Ｃに配信する例を説明する。
【０１０５】
第３実施形態における映像表示システム及び映像表示装置は、第１実施形態における映像表示システム１及び映像表示装置Ａ〜Ｃと同一構成であるので、その図示及び説明を省略し、異なる部分についてのみ説明する。
【０１０６】
第３実施形態では、図１５に示すように、各チェックポイントに監視カメラＷが設置されており、これら複数の監視カメラＷにより撮影された画像は、サーバＳＶに送信される。サーバＳＶは、各監視カメラＷから得られた監視画像を表示装置に表示する。また、巡回する建物内には、光センサ、煙センサ等の災害を検知するための各種センサが設置されており、これらセンサによって災害が検知されると、スプリンクラー等の機器を動作させる災害検知システム２が運用されている。サーバＳＶは、この災害検知システム２にアクセスし、災害検知システム２において災害が検知されたことを検出することができる。
【０１０７】
以下、図１６を参照して映像表示装置Ａ〜ＣとサーバＳＶにおける動作について説明する。
まず、警備員が映像表示装置Ａを装着し、映像表示装置Ａを起動させると、映像表示装置Ａでは、警備用画像がサーバＳＶから取得されて表示ユニット２０により表示される（ステップＥ１）。
【０１０８】
一方、サーバＳＶでは、災害検知システム２にアクセスし、災害が検知されると（ステップＥ２）、災害が検知された地点の位置情報が災害検知システム２から取得され、当該位置情報に基づいて、災害が検知されたチェックポイントに設置されている、或いはそのチェックポイントに近い監視カメラＷから撮影画像（以下、カメラ画像という）が取得される（ステップＥ３）。次いで、サーバＳＶでは、緊急事態が発生した旨を示す緊急通報情報が生成され、監視カメラＷから取得されたカメラ画像とともに、各映像表示装置Ａ〜Ｃに配信される（ステップＥ４）。
【０１０９】
映像表示装置Ａでは、サーバＳＶから受信された緊急通報情報に応じて、緊急通報情報とともに受信されたカメラ画像が優先的に表示ユニット２０により表示される（ステップＥ５）。例えば、起動時当初、図１７（ａ）に示すような警備用画像ｄ１が表示されていたところへ、緊急通報情報が受信されると、図１７（ｂ）に示すように、緊急通報情報とともに受信されたカメラ画像ｄ２が割り込みで優先的に表示される。なお、緊急通報情報に災害が発生した地点を示す位置情報を含めておき、カメラ画像ｄ２とともに、その地点名称ｄ３を表示させることとしてもよい。
【０１１０】
以上のように、第３実施形態によれば、災害検知システム２と連動することにより、災害を検知し、その災害が検知された地点の監視カメラＷからカメラ画像を取得して緊急通報情報とともに各映像表示装置Ａ〜Ｃに配信する。各映像表示装置Ａ〜Ｃは、カメラ画像を優先的に表示するので、警備員は、緊急事態が発生したことをいち早く知ることができる。
【０１１１】
また、カメラ画像によりどのような災害が発生したのか等、状況を容易に把握することができる。
【０１１２】
なお、第１〜第３実施形態における映像表示装置Ａ〜Ｃは、本発明を適用した一例であり、これに限らない。
例えば、上述した説明では、映像表示装置Ａ〜Ｃは、レンズ１１Ｒにのみ表示ユニット２０を設けた単眼式としたが、これに限らず、レンズ１１Ｌにも表示ユニット２０を設けた両眼式としてもよい。このとき、両方とも同一の映像を表示させることとしてもよいし、例えば右眼側には警備用画像、左眼側には緊急通報された際のカメラ画像等、それぞれ異なる映像表示させることとしてもよい。
【０１１３】
また、眼鏡型ではなく、頭部に装着するヘッドマウンテン型、腕に装着するブレスレット型、首に装着するネックレス型、ネックマウント型等、他の装着形態の映像表示装置においても本発明を適用可能である。
【０１１４】
また、第１から第３の実施形態のそれぞれを組み合わせることとしてもよい。
【図面の簡単な説明】
【０１１５】
【図１】本実施の形態における映像表示システム１のシステム構成を示す図である。
【図２】映像表示装置Ａ〜Ｃを示す図である。
【図３】表示ユニット２０の内部構成を示す図である。
【図４】映像表示装置Ａ〜Ｃの機能的構成を示す図である。
【図５】映像表示装置Ａ〜Ｃにおいて履歴記録モード時に実行される処理の流れを示す図である。
【図６】映像表示装置Ａ〜Ｃにおいて履歴参照モード時に実行される処理の流れを示す図である。
【図７】（ａ）はチェック対象が正常である状態を示し、（ｂ）はチェック対象が異常である状態を示し、（ｃ）は（ａ）、（ｂ）の図を重ねた状態を示す図である。
【図８】（ａ）は、異常部分がある旨を警告する際の表示画面例を示す図であり、（ｂ）は確認操作がなされていない旨の警告時の表示画面例を示す図である。
【図９】ＩＣタグｚの設置例を示す図である。
【図１０】リーダ５６を備えた映像表示装置Ａ〜Ｃの構成例を示す図である。
【図１１】映像表示装置Ａ〜Ｃにおいてチェックモード時に実行される処理の流れを示す図である。
【図１２】（ａ）はチェックポイントを示唆するチェック画像の表示例を示す図であり、（ｂ）は確認操作がなされていない旨を警告する際の表示画面例を示す図である。
【図１３】チェックモード時に実行される処理の他の実施例を示すフローチャートである。
【図１４】図１３に示す処理時に表示される画像例を示す図であり、（ａ）はチェックポイントを示唆するチェック画像の表示例を示す図であり、（ｂ）は確認操作がなされていない旨を警告する際の表示画面例を示す図である。
【図１５】監視カメラ及び災害検知システムに接続されたサーバＳＶを示す図である。
【図１６】映像表示装置Ａ〜Ｃ及びサーバＳＶにおいて、災害検知モード時に実行される処理の流れを示す図である。
【図１７】（ａ）は、災害が検知されるまで表示されていた画像例を示す図であり、（ｂ）は災害検知後、優先的に表示された監視カメラのカメラ画像の表示例を示す図である。
【符号の説明】
【０１１６】
１    映像表示システム
ＳＶ    サーバ
Ａ〜Ｃ    映像表示装置
１１Ｒ、１１Ｌ    眼鏡レンズ
１３Ｒ、１３Ｌ    テンプル
２０    表示ユニット
２０ａ    映像投射部
２０ｂ    接眼光学系
３０    撮影ユニット
４０    音入出力ユニット
５０    コントロールボックス
５１    制御ユニット
５２    画像処理ユニット
５３    入力ユニット
５３ｂ    確認ボタン
５４    通信ユニット
５５    メモリ
５６    リーダ
【図１】
2006140816.tif 000003
【図２】
2006140816.tif 000004
【図３】
2006140816.tif 000005
【図４】
2006140816.tif 000006
【図５】
2006140816.tif 000007
【図６】
2006140816.tif 000008
【図７】
2006140816.tif 000009
【図８】
2006140816.tif 000010
【図９】
2006140816.tif 000011
【図１０】
2006140816.tif 000012
【図１１】
2006140816.tif 000013
【図１２】
2006140816.tif 000014
【図１３】
2006140816.tif 000015
【図１４】
2006140816.tif 000016
【図１５】
2006140816.tif 000017
【図１６】
2006140816.tif 000018
【図１７】
2006140816.tif 000019